(57)【特許請求の範囲】
【請求項１】
互いに対向する内壁の一方から可撓性の係止ランスが突設された端子収容室内に、前記係止ランスが端子金具の端子箱部の係止孔に係合することで前記端子金具が収容される端子保持構造であって、前記係止ランスに対向する他方の内壁から端子抜け方向へ向けて傾斜するおさえ斜面を備えたがたおさえ突起を設け、
前記係止孔への前記係止ランスの係合代が大きい状態では前記端子箱部との間に間隙が生じ、前記端子金具が端子収容室内で移動すると前記がたおさえ突起のおさえ斜面に端子箱部の後端側角部が当接し、
前記端子金具が端子収容室内の挿入開口側へ移動し前記係合代が小さくなる状態では前記端子箱部が当接することで係合代の低下を阻止することを特徴とする端子保持構造。
【発明の詳細な説明】
【０００１】
【発明の属する技術分野】
本発明は、コネクタハウジングの端子収容室内に、電線端末の端子金具を収容し、保持する端子保持構造に関する。
【０００２】
【従来の技術】
図５は、コネクタハウジング１の端子収容室２内に、端子金具（雌型端子）３が収容され、保持された構造を示す。端子収容室２は、対向する内壁４、５のうち一方の内壁４から、係止ランス６が突設されている。この係止ランス６は、図６（ａ）に示すように、可撓性を有するアーム部７の先端部に係止段差８が形成されている。この係止段差部８は、端子金具３の端子箱部９に設けた係止孔１０に係合する。また、端子収容室２の一側は、突壁１１が形成されて、一側からの端子金具３の抜けが阻止されている。端子収容室２の他側は、端子金具３を端子収容室２内に挿入するための挿入開口となっている。そして、係止ランス６は、突壁１１側に向けて突設され、係止段差８に端子金具３の係止孔１０が係合することで、端子収容室２の他側からの抜けが阻止される。
【０００３】
さらに、端子収容室２の高さ寸法は、端子収容室２内に端子金具３が容易に挿入できるとともに、係止ランス６により他側の内壁５側に端子金具３が押圧されても、内壁５との間に隙間が生じるように設定されている。このため、電線１２を引っ張ることにより、端子金具３に抜け出す方向へ力が加わると、多少動く（がたの範囲内）ようになっている。
【０００４】
このような端子保持構造において、端子金具３を端子収容室２内に保持するには、端子収容室２の挿入開口側から端子金具３を挿入し、端子金具３と係止ランス６が当接したら、さらに端子金具３を突壁１１側へ挿入する。端子金具３を突壁１１側へ挿入すると、係止ランス６が撓み、係止孔１０が係止ランス６の係止段差８上に位置すると、係止段差８に係止孔１０が係合する。このとき係止段差８への係止孔１０の係り代は、図６（ａ）に示すように十分な係り代Ｌ１となっている。この状態では、端子金具３は、係止ランス６によりその抜けが保持されている。
【０００５】
【発明が解決しようとする課題】
ところが、電線１２を引っ張ることにより端子金具３が引っ張られると端子金具３は、上述したようにがたの範囲内で端子収容室２内で動き、図６（ｂ）に示すように、係止段差８への係止孔１０の係り代Ｌ２が小さくなるため、その分Ｌ３係止ランス６による端子収容室２内への端子金具３の保持力が低下する。この結果、電線１２を大きな力で引っ張った場合、係止ランス６が変形したり、最悪の場合には、係止ランス６が破損するおそれがある。
【０００６】
そこで、本発明は、電線を引っ張ることで端子金具が端子収容室内でがたの範囲内で移動したとしても、係止ランスへの係止孔の係合代が小さくなることがなく、保持力の低下を防止することができる端子保持構造の提供を目的とする。
【０００７】
【課題を解決するための手段】
上記目的を達成するため、請求項１の発明は、互いに対向する内壁の一方から可撓性の係止ランスが突設された端子収容室内に、前記係止ランスが端子金具の端子箱部の係止孔に係合することで前記端子金具が収容される端子保持構造であって、前記係止ランスに対向する他方の内壁から端子抜け方向へ向けて傾斜するおさえ斜面を備えたがたおさえ突起を設け、
前記係止孔への前記係止ランスの係合代が大きい状態では前記端子箱部との間に間隙が生じ、前記端子金具が端子収容室内で移動すると前記がたおさえ突起のおさえ斜面に端子箱部の後端側角部が当接し、
前記端子金具が端子収容室内の挿入開口側へ移動し前記係合代が小さくなる状態では前記端子箱部が当接することで係合代の低下を阻止することを特徴とする端子保持構造。
【０００８】
この端子保持構造において、端子金具に接続されている電線を引っ張ることで端子金具に抜け方向の力が加わった場合、がたおさえ突起と端子箱部との間に隙間が生じていれば、係止ランスへの係止孔の係合代が大きい状態となり、端子収容室内への端子金具の保持力が低下することがない。
【０００９】
一方、がたおさえ突起と端子箱部との間に隙間が生じないように端子金具が端子収容室内で移動すると、がたおさえ突起に端子箱部が当接し、係止ランスと係止孔との係合代の低下を阻止する。この結果、端子収容室内への端子金具の保持力が低下することがなく、端子収容室内で端子金具ががたの範囲内で移動したとしても、係止ランスへの係止孔の係合代を大きな状態とすることができるため端子金具を端子収容室内に確実に保持することができる。
【００１１】
この端子保持構造では、がたおさえ突起と端子箱部との間に隙間が生じないように端子金具が端子収容室内で移動すると、がたおさえ突起の斜面に端子箱部の後端側角部が当接し、端子金具を端子収容室内の挿入開口側へ移動するこの移動により端子金具は一方の内壁側へ移動する。これにより、係止ランスと係止孔との係合代の低下が阻止され、係合代が小さくなることがない。この結果、端子収容室内への端子金具の保持力の低下が防止される。
【００１２】
【発明の実施の形態】
以下、本発明に係る端子保持構造の一実施形態について説明する。なお、図１（ａ）はコネクタハウジング２１の端子収容室２２内に端子金具（雌型端子）２３が収容された状態を示す断面図、（ｂ）は端子収容室２２内を示す破断斜視図である。また、図２乃至図４は、端子収容室２２内における端子金具２３の状態と、そのときのがたおさえ突起３６と端子箱部２９の後端角部３９との関係を示す断面図である。
【００１３】
図１（ａ）、（ｂ）に示すように、コネクタハウジング２１には、両側が開口された端子収容室２２が形成されている。一方の開口２２ａ側には、開口縁部から突壁３１が突設されている。この突壁３１で形成される開口からは、相手端子が端子収容室２２内に挿入される。他方の開口２２ｂ側は、端子金具２３が挿入される挿入開口となっている。また、端子収容室２２の一方の内壁２４からは、可撓性の係止ランス２６が突壁３１側に向けて突設されている。この係止ランス２６は、可撓性を有するアーム部２７と、このアーム部２７の先端に形成された係止段差２８と、係止突部３２とで形成されている。
【００１４】
他方の内壁２５は、端子金具２３の電線加締め接続部３０が収容される収容部３３を形成する挿入開口側内壁２５ａと、端子金具２３の端子箱部２９が収容される収容部３４を形成する箱部側内壁２５ｂとで形成され、挿入開口側内壁２５ａと箱部側内壁２５ｂとの間は斜面３５で連続している。
【００１５】
さらに、他方の内壁２５の挿入開口側内壁２５ａと箱部側内壁２５ｂとの間には、斜面３５の略中央部分にがたおさえ突起３６が突設されている。このがたおさえ突起３６は、挿入開口側内壁２５ａから箱部側内壁２５ｂ側に向けて傾斜する斜面３６ａと、箱部側内壁２５ｂから挿入開口側内壁２５ａ側に向けて傾斜するおさえ斜面３６ｂとで山形形状に形成されている。これらの斜面３６ａとおさえ斜面３６ｂとの連続部分が端子収容室２２側へ突出する頂部３７となっている。
【００１６】
この端子収容室２２内に収容される端子金具２３は、雌型端子金具で、一側に雄型端子金具が挿入・接続される端子箱部２９が形成され、他側に電線端末が接続される電線加締め接続部３０が形成されている。また、端子箱部２９には、係止孔３８が形成され、端子箱部２９の電線加締め接続部３０側に後端角部３９が形成されている。
【００１７】
端子収容室２２内に端子金具２３を収容するには、挿入開口２２ｂ側から端子金具２３の端子箱部２９を挿入する。端子箱部２９を端子収容室２２内に挿入していくと、端子箱部２９の先端部が係止ランス２６の係止突部３２に当接する。さらに端子金具２３を突壁３１側へ移動させると、係止ランス２６の係止突部３２が端子箱部２９の外周面に当接し、端子箱部２９の移動により係止ランス２６が撓む。
【００１８】
そして、係止突部３２が端子箱部２９の外周を摺動し、係止孔３８位置にくると、自身の弾性力で係止ランス２６が他方の内壁２５側へ移動し、係止突部３２が係止孔３８内に挿入・係合する。このとき、係止孔３８内への係止突部３２の挿入量が係合代となる。この状態では、図２（ａ）、（ｂ）に示すように、端子箱部２９と他方の内壁２５との間には若干の隙間が形成され、がたおさえ突起３６との間にも隙間がある。これらの隙間は、端子収容室２２内での端子金具２３の通常の収容状態におけるがたとなっている。
【００１９】
この状態から、例えば電線４０を引っ張る等の外力により端子金具２３が挿入開口２２ｂ側へ引っ張られると、端子金具２３には、挿入開口２２ｂ側を中心として端子箱部２９が回動しようとし、他方の内壁２５側へ接近する。このとき、図３（ａ）、（ｂ）に示すように、係止突部３２の係止孔３８内への挿入量（係合代）が変化しない場合には、端子箱部２９の後端角部３９はがたおさえ突起３６に当接することはなく、隙間が生じている。
【００２０】
また、端子金具２３が引っ張られて、挿入開口２２ｂ側を中心として端子箱部２９が回動し、他方の内壁２５側へ接近して、係止突部３２の係止孔３８内への挿入量（係合代）が小さくなった場合には、図４（ａ）、（ｂ）に示すように、端子箱部２９の後端角部３９がおさえ斜面３６ｂに当接し、おさえ斜面３６ｂ上を摺動する。後端角部３９がおさえ斜面３６ｂ上を摺動すると、端子箱部２９が一方の内壁２４側へ移動するため、係止孔３８内へ係止突部３２が挿入される。この結果、係止突部３２の係止孔３８内への挿入量（係合代）が増えることになり、係合代が大きくなる。
【００２１】
本実施形態によれば、端子金具２３に接続されている電線４０を引っ張ることで端子金具２３に抜け方向の力が加わった場合、がたおさえ突起３６と端子箱部２９との間に隙間が生じていれば、係止ランス２６への係止孔の係合代が大きい状態となり、端子収容室２２内への端子金具２３の保持力が低下することがない。
【００２２】
一方、がたおさえ突起３６と端子箱部２９との間に隙間が生じないように端子金具２３が端子収容室２２内で移動すると、がたおさえ突起３６と端子箱部２９とが当接し、係止ランス２６と係止孔３８との係合代の低下を阻止する。この結果、端子収容室２２内への端子金具２３の保持力が低下することがなく、端子収容室２２内で端子金具２３ががたの範囲内で移動したとしても、係止ランス２６への係止孔３８の係合代を大きな状態とすることができるため端子金具２３を端子収容室２２内に確実に保持することができる。
【００２３】
さらに、がたおさえ突起３６と端子箱部２９との間に隙間が生じないように端子金具２３が端子収容室２２内で移動すると、がたおさえ突起３６のおさえ斜面３６ｂに端子箱部２９の後端側角部３９が当接し、端子金具２３を端子収容室２２内の挿入開口２２ｂ側へ移動する。これにより、係止ランス２６と係止孔３８との係合代の低下が阻止され、係合代が小さくなることがない。この結果、端子収容室２２内への端子金具２３の保持力の低下が防止される。
【００２４】
なお上記実施形態では、がたおさえ突起３６として、山形形状の例を示したが、この形状に限らず、端子収容室２２内で端子金具２３が移動したとしても係止孔３８への係止段差２８の係合代が小さくなることのない形状であれば他の形状でも良い。
【００２５】
【発明の効果】
以上説明したように請求項１の発明によれば、端子金具に接続されている電線を引っ張ることで端子金具に抜け方向の力が加わった場合、がたおさえ突起と端子箱部との間に隙間が生じていれば、係止ランスへの係止孔の係合代が大きい状態となり、端子収容室内への端子金具の保持力が低下することがない。
【００２６】
また、がたおさえ突起と端子箱部との間に隙間が生じないように端子金具が端子収容室内で移動すると、がたおさえ突起と端子箱部とが当接し、係止ランスと係止孔との係合代の低下を阻止する。この結果、端子収容室内への端子金具の保持力が低下することがなく、端子収容室内で端子金具ががたの範囲内で移動したとしても、係止ランスへの係止孔の係合代を大きな状態とすることができるため端子金具を端子収容室内に確実に保持することができる。
【００２７】
また、がたおさえ突起と端子箱部との間に隙間が生じないように端子金具が端子収容室内で移動すると、がたおさえ突起の斜面に端子箱部の後端側角部が当接し、端子金具を端子収容室内の挿入開口側へ移動する。これにより、係止ランスと係止孔との係合代の低下が阻止され、係合代が小さくなることがない。この結果、端子収容室内への端子金具の保持力の低下が阻止される。
【図面の簡単な説明】
【図１】本発明に係る端子保持構造が適用されたコネクタハウジングの端子収容室内に保持された端子金具を示し、（ａ）は断面図、（ｂ）は断面斜視図である。
【図２】端子収容室内に端子金具が通常状態で収容された状態を示し、（ａ）は断面図、（ｂ）はがたおさえ突起と後端角部とを示す一部拡大断面図である。
【図３】端子金具が挿入開口側へ引っ張られ、係止孔への係止ランスの係合代が大きい状態で端子収容室内に端子金具が収容された状態を示し、（ａ）は断面図、（ｂ）はがたおさえ突起と後端角部とを示す一部拡大断面図である。
【図４】端子金具が挿入開口側へ引っ張られ、係止孔への係止ランスの係合代が小さくなろうとする状態で端子収容室内に端子金具が収容された状態を示し、（ａ）は断面図、（ｂ）はがたおさえ突起と後端角部とを示す一部拡大断面図である。
【図５】従来の保持構造において、コネクタハウジングの端子収容室内に端子金具を収容した状態を示す断面図である。
【図６】係止孔への係止ランスの係合状態を示し、（ａ）は正規な状態の係合代で係合した状態を示す拡大図、（ｂ）は係合代が小さくなった状態を示す拡大図。
【符号の説明】
２２  端子収容室
２２ａ  一方の開口
２２ｂ  他方の開口（挿入開口）
２３  端子金具
２４  内壁（一方の）
２５  内壁（他方の）
２５ａ  挿入開口側内壁
２５ｂ  箱部側内壁
２６  係止ランス
２９  端子箱部
３６  がたおさえ突起
３８  係止孔
【図１】
0003717702.tif 000002
【図２】
0003717702.tif 000003
【図３】
0003717702.tif 000004
【図４】
0003717702.tif 000005
【図５】
0003717702.tif 000006
【図６】
0003717702.tif 000007